(57)【特許請求の範囲】
【請求項１】
エレベータが設置され、鉄塔内に筒身が構築された鉄塔支持形煙突の解体方法において、  下記工程、
（ａ）前記エレベータを利用して前記鉄塔の所定高さ位置に小型ジャッキを設置する工程、
（ｂ）前記小型ジャッキを使用して前記鉄塔の下部に、前記筒身を支持する大型ジャッキを設置する工程、
（ｃ）前記エレベータを利用して前記鉄塔の所定高さ位置に解体ステージを構築する工程、
（ｄ）前記鉄塔の上部および前記エレベータのエレベータシャフトの上部を前記筒身の上部に固定して、前記鉄塔および前記シャフトを前記筒身に仮吊りする工程、
（ｅ）前記解体ステージ上で前記鉄塔および前記エレベータシャフトの下部を切断する工程、
（ｆ）切断した前記鉄塔および前記エレベータシャフトの下部を前記小型ジャッキにより前記エレベータシャフト内に投入し、撤去する工程、
（ｇ）前記大型ジャッキにより支持された前記筒身の下部を切断し、撤去する工程、
（ｈ）前記大型ジャッキにより前記筒身を吊り下ろす工程、
（ｉ）上記工程（ｅ）から（ｈ）を繰り返し行って、前記鉄塔、前記エレベータシャフトおよび前記筒身を前記大型ジャッキの取り付け高さまで解体する工程、
（ｊ）地上の小型クレーンにより残りの前記鉄塔、前記エレベータシャフトおよび前記筒身を解体する工程、
を有することを特徴とする、鉄塔支持形煙突の解体方法。
【請求項２】
前記筒身は、複数本設けられ、前記エレベータシャフトは、複数本の前記筒身の中心部に構築され、前記鉄塔は、複数本の前記筒身の外側に構築されていることを特徴とする、請求項１に記載の、鉄塔支持形煙突の解体方法。
【発明の詳細な説明】
【技術分野】
【０００１】
この発明は、鉄塔支持形煙突の解体方法、特に、大型クレーンを使用することなく、エレベータが設置された鉄塔支持形煙突を容易に安全かつ確実に解体することができる、鉄塔支持形煙突の解体方法に関するものである。
【背景技術】
【０００２】
鉄塔支持形煙突の解体方法の一例が特許文献１に開示されている。以下の、この鉄塔支持形煙突の解体方法を従来解体方法といい、図面を参照しながら説明する。
【０００３】
図７は、従来解体方法を示す説明図であり、（ａ）は、筒身１１Ａを撤去した図、（ｂ）  は、筒身１１Ｂを撤去した図、（ｃ）は、クローラクレーンにより鉄塔の中間部１２Ｂを撤去した後、筒身１１Ｃと筒身１１Ｄを撤去した図、（ｄ）は、ジャッキによる筒身の吊り位置を変えた図、（ｅ）は、筒身１１Ｅから筒身１１Ｉを撤去した図、（ｆ）は、ジャッキによる筒身の吊り位置を変えた図、（ｇ）は、筒身の頂部を解体する図である。
【０００４】
従来解体方法は、以下の工程からなっている。
【０００５】
（第１の筒身部分解体工程）
先ず、図７（ａ）に示すように、筒身１１を部分解体する。すなわち、鉄塔１２の第２支持点Ｓ２にジャッキ１５を取り付け、ジャッキ１５により筒身１１を支持しつつ筒身１１の下端部を切断位置２０で所定長さだけ切断し、切断した筒身１１Ａを搬送台車２１に搭載して撤去した後、筒身１１をジャッキダウンする。この際、安定に自立している鉄塔１２に設けられているガイドローラ１６によって筒身１１のジャッキダウンを支持案内することによって、ジャッキダウン作業を容易にかつ安全に行うことができる。なお、図中の１７、１８は、補強材、２２は、搬送台車２１が走行するためのレールである。そして、上記のような、筒身１１の下端部に対する切断撤去とジャッキダウンを行って、図７（ｂ）に示すように、筒身１１Ｂを切断撤去して、筒身１１をほぼ第４支持点Ｓ４の高さとなるまで解体する。
【０００６】
（鉄塔の中間部解体工程）
次に、鉄塔１２の上部１２Ａを筒身１１に保持させた状態で、図７（ｂ）に示すように、クローラクレーン３０を用いて、鉄塔１２の中間部１２Ｂを解体撤去する。なお、ここで、鉄塔１２の上部１２Ａは、第３支持点Ｓ３と第４支持点Ｓ４の間の部分であり、鉄塔１２の中間部１２Ｂは、第２支持点Ｓ２と第３支持点Ｓ３の間の部分である。
【０００７】
（第２の筒身部分解体工程）
次に、上述した筒身部分解体工程と同様にして、筒身１１の下端部に対する切断撤去とジャッキダウンとを繰り返して、図７（ｃ）に示すように、筒身１１Ｃ、１１Ｄを切断撤去して、鉄塔１２の上部１２Ａが鉄塔１２の下部１２Ｃに近づく位置になるまで解体撤去する。なお、ここで、鉄塔１２の下部１２Ｃは、第２支持点Ｓ２から下方の部分である。
【０００８】
（鉄塔の上部解体工程）
次に、図７（ｄ）に示すように、ジャッキ１５による筒身１１の吊り位置を変え、クローラクレーン３０を用いて、鉄塔１２の上部１２Ａを解体撤去する。
【０００９】
（第３の筒身部分解体工程）
次に、上述した筒身部分解体工程及び第２の筒身部分解体工程と同様にして、筒身１１の下端部に対する切断撤去とジャッキダウンとを繰り返して、図７（ｄ）、図７（ｅ）、図７（ｆ）に示すように、筒身１１Ｅから１１Ｍを順次切断撤去する。
【００１０】
（鉄塔の下部解体工程）
最後に、クローラクレーン３０を用いて、鉄塔１２の下部１２Ｃと、残った筒身１１を解体撤去する。これによって、図７（ｇ）に示すように、鉄塔支持型煙突１０を解体が完了する。
【先行技術文献】
【特許文献】
【００１１】
【特許文献１】特許第４５５９３１３号公報
【特許文献２】特許第２８２８４３０号公報
【発明の開示】
【発明が解決しようとする課題】
【００１２】
上記従来解体去方法によれば、煙突の高さ相当の超大型クレーンを使用することなく、鉄塔支持形煙突を安全かつ確実に解体することができるが、高所部分の鉄塔１２Ａ、１２Ｂの撤去に大形クレーンを必要とするといった問題があった。
【００１３】
従って、この発明の目的は、大型クレーンを使用することなく、エレベータが設置された鉄塔支持形煙突を容易に安全かつ確実に解体することができる、鉄塔支持形煙突の解体方法を提供することにある。
【課題を解決するための手段】
【００１４】
この発明は、上記目的を達成するためになされたものであって、下記を特徴とするものである。
【００１５】
請求項１記載の発明は、エレベータが設置され、鉄塔内に筒身が構築された鉄塔支持形煙突の解体方法において、下記工程、
（ａ）前記エレベータを利用して前記鉄塔の所定高さ位置に小型ジャッキを設置する工程、
（ｂ）前記小型ジャッキを使用して前記鉄塔の下部に、前記筒身を支持する大型ジャッキを設置する工程、
（ｃ）前記エレベータを利用して前記鉄塔の所定高さ位置に解体ステージを構築する工程、
（ｄ）前記鉄塔の上部および前記エレベータのエレベータシャフトの上部を前記筒身の上部に固定して、前記鉄塔および前記シャフトを前記筒身に仮吊りする工程、
（ｅ）前記解体ステージ上で前記鉄塔および前記エレベータシャフトの下部を切断する工程、
（ｆ）切断した前記鉄塔および前記エレベータシャフトの下部を前記小型ジャッキにより前記エレベータシャフト内に投入し、撤去する工程、
（ｇ）前記大型ジャッキにより支持された前記筒身の下部を切断し、撤去する工程、
（ｈ）前記大型ジャッキにより前記筒身を吊り下ろす工程、
（ｉ）上記工程（ｅ）から（ｈ）を繰り返し行って、前記鉄塔、前記エレベータシャフトおよび前記筒身を前記大型ジャッキの取り付け高さまで解体する工程、
（ｊ）地上の小型クレーンにより残りの前記鉄塔、前記エレベータシャフトおよび前記筒身を解体する工程、を有することに特徴を有するものである。
【００１６】
請求項２に記載の発明は、請求項１に記載の発明において、前記筒身は、複数本設けられ、前記エレベータシャフトは、複数本の前記筒身の中心部に構築され、前記鉄塔は、複数本の前記筒身の外側に構築されていることに特徴を有するものである。
【発明の効果】
【００１７】
この発明によれば、切断した鉄塔およびエレベータシャフトの下部を、鉄塔の所定高さ位置に予め設置した小型ジャッキによりエレベータシャフト内に投入し、撤去することによって、大型クレーンを使用することなく、エレベータが設置された鉄塔支持形煙突を容易に安全かつ確実に解体することができる。
【図面の簡単な説明】
【００１８】
【図１】この発明の、鉄塔支持形煙突の解体方法によって、小型ジャッキ、大型ジャッキおよび解体ステージを設置した状態を示す概略正面図である。
【図２】図１のＡ−Ａ断面図である。
【図３】この発明の、鉄塔支持形煙突の解体方法によって、煙突の上段を解体する状態を示す概略正面図である。
【図４】この発明の、鉄塔支持形煙突の解体方法によって、煙突の中上段を解体する状態を示す概略正面図である。
【図５】この発明の、鉄塔支持形煙突の解体方法によって、煙突の中下段を解体する状態を示す概略正面図である。
【図６】この発明の、鉄塔支持形煙突の解体方法によって、煙突の下段を解体する状態を示す概略正面図である。
【図７（ａ）】筒身１１Ａを撤去した従来解体方法を示す説明図である。
【図７（ｂ）】筒身１１Ｂを撤去した従来解体方法を示す説明図である。
【図７（ｃ）】クローラクレーンにより鉄塔の中間部１２Ｂを撤去した後、筒身１１Ｃと筒身１１Ｄを撤去した従来解体方法を示す説明図である。
【図７（ｄ）】ジャッキによる筒身の吊り位置を変えた従来解体方法を示す説明図である。
【図７（ｅ）】筒身１１Ｅから筒身１１Ｉを撤去した従来解体方法を示す説明図である。
【図７（ｆ）】ジャッキによる筒身の吊り位置を変えた従来解体方法を示す説明図である。
【図７（ｇ）】筒身の頂部を解体する従来解体方法を示す説明図である。
【発明を実施するための形態】
【００１９】
この発明の、鉄塔支持形煙突の解体方法の一実施態様を、図面を参照しながら説明する。
【００２０】
図１は、この発明の、鉄塔支持形煙突の解体方法によって、小型ジャッキ、大型ジャッキおよび解体ステージを設置した状態を示す概略正面図、図２は、図１のＡ−Ａ断面図である。
【００２１】
図１および図２において、１は、４本の筒身、２は、４本の筒身１の中心部に構築されたエレベータ３のシャフト、４は、４本の筒身１の外側に構築された鉄塔である（図２参照）。エレベータシャフト２および鉄塔４は、この例では、上段Ａ、中上段Ｂ、中下段Ｃおよび下段Ｄからなっている（図１参照）。
【００２２】
５ａ、５ｂ、５ｃは、鉄塔４の所定高さ位置にそれぞれ複数台、設置された小型ジャッキである。小型ジャッキ５ａは、上段Ａの鉄塔４の上部に設置され、小型ジャッキ５ｂは、上段Ａの鉄塔４の中央部に設置され、小型ジャッキ５ｃは、中下段Ｃの鉄塔４の下部に設置されている。小型ジャッキ５ａ、５ｂは、切断した鉄塔４およびエレベータシャフト２の下部を吊り上げる能力、例えば、１５トンの吊り上げ能力を有するものである。上段Ａの鉄塔４に小型ジャッキ５ａ、５ｂを設置したのは、上段Ａの長さが長いからであり、小型ジャッキ５ａのみであっても良い。
【００２３】
６は、下段Ｄの鉄塔４の上部に設置された大型ジャッキである。筒身１は、複数台の大型ジャッキ６により鉄塔４に支持され、大型ジャッキ６の一台の吊り上げ能力は、例えば、４００トンである。大型ジャッキ６としては、例えば、特許文献２に記載されたジャッキを使用する。
【００２４】
７ａ、７ｂ、７ｃは、鉄塔４の所定高さ位置に構築された解体ステージである。解体ステージ７ａは、上段Ａと中上段Ｂとの境の鉄塔４に設置され、解体ステージ７ｂは、中上段Ｂと中下段Ｃとの境の鉄塔４に設置され、解体ステージ７ｃは、中下段Ｃと下段Ｄとの境の鉄塔４に設置されている。
【００２５】
８は、下段Ｄの鉄塔４およびエレベータシャフト２と残りの筒身１を解体する小型クレーンである。
【００２６】
この発明の、鉄塔支持形煙突の解体方法により鉄塔支持形煙突を解体するには、先ず、図１に示すように、エレベータ３を利用して鉄塔の所定高さ位置に小型ジャッキ５ａ、５ｂ、５ｃを設置する。すなわち、小型ジャッキ５ａを上段Ａの鉄塔４の上部に設置し、小型ジャッキ５ｂを上段Ａの鉄塔４の中央部に設置し、小型ジャッキ５ｃをの中下段Ｃの鉄塔４の下部に設置する（工程ａ）。
【００２７】
次に、図１に示すように、小型ジャッキ５ｃを使用して、大型ジャッキ６を鉄塔４の下段Ｄの上部に設置する（工程ｂ）。
【００２８】
次に、図１に示すように、エレベータ３を利用して鉄塔の所定高さ位置に解体ステージ７ａ、７ｂ、７ｃを構築する。すなわち、解体ステージ７ａを上段Ａと中上段Ｂとの境の鉄塔４に設置し、解体ステージ７ｂを中上段Ｂと中下段Ｃとの境の鉄塔４に設置し、解体ステージ７ｃを中下段Ｃと下段Ｄとの境の鉄塔４に設置する（工程ｃ）。
【００２９】
このようにして、小型ジャッキ５ａ、５ｂ、５ｃ、大型ジャッキ６、解体ステージ７ａ、７ｂ、７ｃを設置したら、図３に示すように、鉄塔４の上部およびエレベータシャフト２の上部を筒身１の上部にストランド９により固定して、鉄塔４およびエレベータシャフト２を筒身１に仮吊りする（工程ｄ）。
【００３０】
次に、図３に示すように、解体ステージ７ａ上で鉄塔４およびエレベータシャフト２の下部を切断し（工程ｅ）、切断した鉄塔４およびエレベータシャフト２の下部を小型ジャッキ５ｂによりエレベータシャフト２内に投入し、撤去する（工程ｆ）。投入は、切断したエレベータシャフト２の上部開口から行い、撤去は、エレベータシャフト２の下部に設けられた出入口２ａから行う。
【００３１】
次に、図３に示すように、大型ジャッキ６により支持された筒身１の下部１ａを切断し、撤去する（工程ｇ）。
【００３２】
次に、大型ジャッキ６により筒身１を下部１ａの長さ分だけ吊り下ろす（工程ｈ）。
【００３３】
上記工程（ｅ）から（ｈ）を繰り返し行って、上段Ａを撤去する。
【００３４】
次に、図４に示すように、解体ステージ７ｂ上で上記工程（ｅ）から（ｈ）を繰り返し行って、中上段Ｂを撤去する。
【００３５】
次に、図５に示すように、解体ステージ７ｃ上で上記工程（ｅ）から（ｈ）を繰り返し行って、中下段Ｃを撤去する（工程ｉ）。
【００３６】
このようにして、鉄塔４、エレベータシャフト２および筒身１を大型ジャッキ６の取り付け高さまで解体したら、図６に示すように、最後に地上の小型クレーン８により残りの鉄塔４、エレベータシャフト２および筒身１を解体する（工程ｊ）。
【００３７】
以上のようにして、鉄塔支持形煙突の解体が終了する。
【００３８】
以上、説明したように、この発明の、鉄塔支持形煙突の解体方法によれば、切断した鉄塔４およびエレベータシャフト２の下部を、鉄塔４の所定高さ位置に予め設置した小型ジャッキ５ａ、５ｂによりエレベータシャフト２内に投入し、撤去することによって、大型クレーンを使用することなく、エレベータが設置された鉄塔支持形煙突を容易に安全かつ確実に解体することができる。
【符号の説明】
【００３９】
１：筒身
１ａ：筒身の下部
２：エレベータシャフト
２ａ：出入口
３：エレベータ
４：鉄塔
５ａ、５ｂ、５ｃ：小型ジャッキ
６：大型ジャッキ
７ａ、７ｂ、７ｃ：解体ステージ
８：小型クレーン
９：ストランド
１１：筒身
１２：鉄塔
１５：ジャッキ
１６：ガイドローラ
１７：補強材
１８：補強材
２０：切断位置
２１：搬送台車
２２：レール
３０：クローラクレーン
【図１】
0005977216.tif 000002
【図２】
0005977216.tif 000003
【図３】
0005977216.tif 000004
【図４】
0005977216.tif 000005
【図５】
0005977216.tif 000006
【図６】
0005977216.tif 000007
【図７（ａ）】
0005977216.tif 000008
【図７（ｂ）】
0005977216.tif 000009
【図７（ｃ）】
0005977216.tif 000010
【図７（ｄ）】
0005977216.tif 000011
【図７（ｅ）】
0005977216.tif 000012
【図７（ｆ）】
0005977216.tif 000013
【図７（ｇ）】
0005977216.tif 000014